(57)【要約】【課題】  従来の折り曲げ用爪片を廃止し、誰でもワンタッチで軒樋に取り付け可能で、かつ取り付けた軒樋の外面に隙間を生じ難い構造の金属製樋継ぎ手を開発する。【解決手段】  両端の外嵌部３ａ，３ｂを，連結しようとする軒樋１ａの端部外面に嵌め合わせる外嵌式樋継ぎ手３であって、軒樋１ａ，１ｂの左右両側面の耳部２’，２”に被せる上記外嵌部の左右両側面の耳部３’，３”に、それぞれ軒樋１ａ，１ｂの耳部２’，２”の上面２ｘ内側角部に掛け合わせる凸条４，４を設ける。【選択図】       図１
2005076406.tif 000002
【特許請求の範囲】
【請求項１】
両端の外嵌部を、それぞれ連結しようとする軒樋の突き合わせ端部外面に嵌め合わせて軒樋どうしを連結する金属製の外嵌式樋継ぎ手であって、軒樋の左右両側面の耳部に被せる外嵌部の左右両側面の耳部に、それぞれ軒樋の左右の耳部の上面内側角部に掛け合わせる凸条を形成したことを特徴とする金属製樋継ぎ手。
【請求項２】
凸条は、樋継ぎ手両端の嵌合部において、その左右両側面に形成された耳部の上面先端に、該先端を下方へＶ字形に折り返し曲げして形成したものである請求項１に記載の金属製樋継ぎ手。
【発明の詳細な説明】
【技術分野】
【０００１】
本発明は、屋根の雨水を受けて地上に流す軒樋の施工において、軒樋どうしを連結する継ぎ手に係り、特に鋼板やステンレス鋼板等の金属薄板により折り曲げ成形された金属製軒樋の連結に使用する金属製樋継ぎ手の構造に関する。
【背景技術】
【０００２】
従来のこの種の金属製樋継ぎ手は、図５に示すように、樋継ぎ手６（図示例は、軒樋を直角に連結する樋曲がり継ぎ手を示す）両端の外嵌部６ａ，６ｂを連結しようとする金属製軒樋１ａ，１ｂの端部外面に嵌め合わせた後、外嵌部６ａ，６ｂの左右両側面の耳部６’，６”に形成してある折り曲げ用の爪片７を、軒樋１ａ，１ｂの左右両側面の耳部２’，２”内側へ専用工具で折り曲げることにより、軒樋１ａ，１ｂの端部外面に隙間なく固定して取り付けるようになっていた。
【０００３】
下記特許文献１には、折り曲げ用爪片を備えた金属製樋継ぎ手（曲がり継ぎ手）が記載されている。
【０００４】
【特許文献１】特開２００１−１２３６０１号公報
【０００５】
しかしながら、上記従来の金属製樋継ぎ手６では、爪片７を折り曲げるのに手間がかかり、軒樋１ａ，１ｂどうしの連結作業に長時間を要していた。また、軒樋に外嵌した樋継ぎ手６の外嵌部６ａ，６ｂを、爪片７を折り曲げることによって軒樋１ａ，１ｂの端部外面に隙間なく密着させるには、相当な熟練を要し、施工完了後にここから漏水を生じる場合も多々あった。
【発明の開示】
【発明が解決しようとする課題】
【０００６】
本発明は、このような問題を解決するためになされたものであり、従来の折り曲げ用爪片を廃止し、誰でも簡単にワンタッチで軒樋に取り付けることができ、しかも取り付けた軒樋の外面に隙間を生じることのない構造の金属製樋継ぎ手の提供を目的とする。
【課題を解決するための手段】
【０００７】
上記目的を達成する本発明の金属製樋継ぎ手は、両端の外嵌部を、それぞれ連結しようとする軒樋の突き合わせ端部外面に嵌め合わせて軒樋どうしを連結する金属製の外嵌式樋継ぎ手であって、軒樋の左右両側面の耳部に被せる外嵌部の左右両側面の耳部に、それぞれ軒樋の左右の耳部の上面内側角部に掛け合わせる凸条を形成したことを特徴とする。
【０００８】
また、上記の凸条は、当該樋継ぎ手両端の嵌合部において、その左右両側面に形成された耳部の上面先端に、該先端を下方へＶ字形に折り返し曲げして形成したものである。
【発明の効果】
【０００９】
上記の如く構成された本発明の金属製樋継ぎ手によれば、その外嵌部の左右両側耳部に設けた凸条の一方を、連結しようとする軒樋の一方の耳部の上面内側角部に掛け合わせるとともに、他方の凸条を上記軒樋の他方の耳部の上面内側角部に掛け合わせる。これにより、当該樋継ぎ手の外嵌部が軒樋の端部に自動的に外嵌され、かつ軒樋の外面に強固に密着固定される。したがって、専用の工具を必要とせず、誰でも簡単にワンタッチで軒樋に取り付けることができ、しかもこれを取り付けた軒樋の外面に漏水の原因となる隙間を生じることもない。
【発明を実施するための最良の形態】
【００１０】
以下、本発明の実施形態を図面に基づいて説明する。
【実施例１】
【００１１】
図１は、本発明を軒樋の直線連結に使用する樋継ぎ手に実施した一例を示しており、１ａ，１ｂは連結しようとする軒樋、３は本発明に係る樋継ぎ手である。
【００１２】
すなわち、連結しようとする軒樋１ａ，１ｂは、いずれも厚さ０．３５〜０．４０ｍｍの金属薄板（図示例では０．３５ｍｍの薄鋼板）により形成されており、その左右両側面には、縁を断面形状ロ字形に折り曲げ成形してなる耳部２’，２”が形成してある。これらの軒樋１ａ，１ｂは、図２に示すように、幅Ｗが１１７ｍｍ、高さＴが５１ｍｍの大きさである。
【００１３】
樋継ぎ手３は、前記軒樋１ａ，１ｂと同様の厚さ０．３５ｍｍの薄鋼板で形成してあり、全長Ｌが８０ｍｍの樋形をなし、その両端部が外嵌部３ａ，３ｂに形成してある。すなわち、当該樋継ぎ手３は、両端の外嵌部３ａ，３ｂを、それぞれ連結しようとする軒樋１ａ，１ｂの突き合わせ端部外面に嵌め合わせて、上記軒樋１ａ，１ｂどうしを連結する外嵌式の樋継ぎ手である。このため、両端の外嵌部３ａ，３ｂは、いずれも図３に示すように、その断面形状を軒樋１ａ，１ｂと同一にし、かつ幅Ｗを１１８ｍｍ、高さＴを５２ｍｍと、それぞれ前記した軒樋の形状寸法に比べて１ｍｍ宛大きく形成してある。
【００１４】
また、前記外嵌部３ａ，３ｂの左右両側面には、外嵌により軒樋１ａ，１ｂの前記耳部２’，２”に被さる断面形状コ字形の耳部３’，３”が形成してある。そして、これらのコ字形耳部３’，３”の内向きに水平曲げされた上面３ｘの先端には、該先端部分を下方へＶ字形に折り返し曲げして形成され、長手方向に連続する凸条４，４が設けてある。これらの凸条４，４は、外嵌部３ａ，３ｂの左右の耳部３’，３”を、それぞれ対応する軒樋１ａ，１ｂの左右の耳部２’，２”に被せた際に、その各耳部２’，２”の上面２ｘの内側角部に掛け合わせるものである。
【００１５】
上記凸条４，４は、その左右の間隔Ｓが、軒樋１ａ，１ｂの左右の耳部間隔Ｓ1と同一もしくは若干小さく形成してある。このため、左右の凸条４，４を軒樋１ａ，１ｂの左右の耳部３’，３”にそれぞれ掛け合わせると、所定の張力により当該樋継ぎ手３が軒樋１ａ，１ｂの端部外面に隙間なく強固に固定される。なお、図示例では、凸条４，４に可撓性を付与して上記の掛け合わせ作業が僅かな力で容易に行なえるように、耳部３’，３”の上面３ｘの長手方向両端および中央部に、それぞれ所定幅の切欠き５を設けている。
【実施例２】
【００１６】
図４は、本発明を軒樋の直角連結に使用する樋曲がり継ぎ手に実施した一例である。すなわち、平面視Ｌ形に直角曲げ成形された樋曲がり継ぎ手３０は、その直角曲げ部を中心とする両側端部が軒樋１ａ，１ｂ端部への外嵌部 ３０ａ，３０ｂに形成してある。本実施例は、これらの各外嵌部３０ａ，３０ｂにおいて、その左右両側面の耳部３０’，３０”の上面３０ｘに、それぞれ軒樋１ａ，１ｂの左右の耳部２’，２”の上面２ｘ内側角部に掛け合わせる下向きの凸条４０，４０を設けたものである。
【図面の簡単な説明】
【００１７】
【図１】本発明に係る金属製樋継ぎ手を説明する斜視図である。
【図２】軒樋の端部断面形状を示す断面図である。
【図３】外嵌部の断面形状を示す断面図である。
【図４】本発明に係る金属製樋曲がり継ぎ手を説明する斜視図である。
【図５】従来の金属製樋継ぎ手を説明する斜視図である。
【符号の説明】
【００１８】
１ａ，１ｂ  軒樋
２’，２”  軒樋の耳部
３  樋継ぎ手
３ａ，３ｂ  樋継ぎ手の外嵌部
３’，３”  樋継ぎ手外嵌部の耳部
４  凸条
５  切欠き
３０  樋曲がり継ぎ手
３０ａ，３０ｂ  樋曲がり継ぎ手の外嵌部
３０’，３０”  樋曲がり継ぎ手外嵌部の耳部
【図１】
2005076406.tif 000003
【図２】
2005076406.tif 000004
【図３】
2005076406.tif 000005
【図４】
2005076406.tif 000006
【図５】
2005076406.tif 000007